(57)【要約】      （修正有）【課題】重量の大きい物（ワーク）を安全に１８０度反転させることを目的とした重量物反転装置を提供する。【解決手段】基台の中央部に支持されている回転軸４を回転中心として水平状態と当該水平状態から１８０度未満の回転角度の間でそれぞれ回転する２枚の反転板２，３と、各反転板に取り付けられていて、基端側がそれぞれ前記回転軸に回転自在に取付けられていると共に、基端側から径方向外側端に向かう下側外周面が曲面状に形成されているカムプレート５，６を備え、直線駆動機構のロッド１１，１２の先端側をカムプレートの曲面状の下側外周面に当接させつつ、当該ロッドをシリンダーから出没させてカムプレートを前記回転軸を中心として回転させる。【選択図】図１
2008024399.tif 000002
【特許請求の範囲】
【請求項１】
基台（２０）の中央部に支持されている回転軸（４）を回転中心として、水平状態と、当該水平状態から１８０度未満の回転角度の間でそれぞれ回転する反転板（２）、（３）と、
当該反転板（２）、（３）にそれぞれ取り付けられていて、基端側がそれぞれ前記回転軸（４）に回転自在に取付けられていると共に、基端側から径方向外側端に向かう下側外周面が曲面状に形成されているカムプレート（５）、（６）と、
シリンダー（９）、（１０）と当該シリンダー（９）、（１０）から出没するロッド（１１）、（１２）とからなり、前記回転軸（４）を挟んで互いに対向するように前記基台の径方向外側端側にそれぞれ取り付けられている一対の直線駆動機構であって、ロッド（１１）、（１２）がシリンダー（９）、（１０）内に没入しているときに、反転板（２）、（３）が水平状態に位置している状態の前記カムプレート（５）、（６）の径方向外側端側の下側外周面にロッド（１１）、（１２）の先端側が当接し、ロッド（１１）、（１２）の先端側を前記カムプレート（５）、（６）の曲面状に形成されている下側外周面に当接させつつシリンダー（９）、（１０）からロッド（１１）、（１２）を出没させることにより、前記カムプレート（５）、（６）に取り付けられている反転板（２）、（３）を水平状態と、当該水平状態から９０度以上、１８０度未満の間で回転させるように、前記カムプレート（５）、（６）を前記回転軸（４）を中心として回転させる一対の直線駆動機構（１３）、（１４）と、
先端側が反転板（２）、（３）の径方向外側端側にそれぞれ取り付けられていると共に、基端側が前記基台の径方向外側端側にそれぞれ取り付けられている反転板復帰用駆動機構と
を備えてなり、
前記一対の直線駆動機構（１３）、（１４）のロッド（１１）、（１２）がシリンダー（９）、（１０）から出没運動する方向が、斜め下方向から前記回転軸（４）の方向に向かうものである
ことを特徴とする重量物反転装置。
【請求項２】
反転板（２）、（３）が前記回転軸（４）を通る鉛直線を挟む所定の角度範囲回動する間、前記ロッド（１１）、（１２）の先端側が当接する前記カムプレート（５）、（６）の曲面状に形成されている下側外周面は、インボリュートカーブに形成されていることを特徴とする請求項１記載の重量物反転装置。
【発明の詳細な説明】
【技術分野】
【０００１】
この発明は、重量の大きい物（ワーク）を安全に１８０度反転させることを目的とした重量物反転装置に関する。
【背景技術】
【０００２】
重量の大きい物（以下「ワーク」と言うことがある）を１８０度反転させる装置に関しては、本願出願人が、２枚の反転板を使用してワークを１８０度反転できるようにした重量物回転装置を提案している（特許文献１）。
【０００３】
また、反転板を９０度以上回転し、重量物がずれるおそれのある角度の際は、２枚の反転板で挾着固定することにより、反転時における重量物のずれ又は不安定な状態を未然に防止する重量物反転装置を提案している（特許文献２）。
【特許文献１】特開平５−３３０６１９号公報
【特許文献２】特開２０００−２２６１１３号公報
【発明の開示】
【発明が解決しようとする課題】
【０００４】
特許文献１、２の装置は、それぞれ実用化され、効力をあげているが、装置を小型化し、しかも、１８０度の反転移動をスムーズに効率よく行なう上で、改善すべき余地があった。
【０００５】
そこで、この発明は、基台の中央部に支持されている回転軸を回転中心として、水平状態と、当該水平状態から１８０度未満の回転角度の間でそれぞれ回転する２枚の反転板と、各反転板に取り付けられていて、基端側がそれぞれ前記回転軸に回転自在に取付けられていると共に、基端側から径方向外側端に向かう下側外周面が曲面状に形成されているカムプレートを備え、直線駆動機構のロッドの先端側を前記カムプレートの曲面状の下側外周面に当接させつつ、当該ロッドをシリンダーから出没させて前記カムプレートを回転軸を中心として回転させる重量物反転装置を小型化し、短時間で反転動作を行なえるようにすることを目的にしている。
【課題を解決するための手段】
【０００６】
前記目的を達成するため、この発明は以下に説明する重量物反転装置を提案するものである。
【０００７】
本発明の重量物反転装置は、基台２０の中央部に支持されている回転軸４を回転中心として、水平状態と、当該水平状態から１８０度未満の回転角度の間でそれぞれ回転する２枚の反転板２、３と、当該反転板２、３にそれぞれ取り付けられていて、基端側がそれぞれ前記回転軸４に回転自在に取付けられていると共に、基端側から径方向外側端に向かう下側外周面が曲面状に形成されているカムプレート５、６とを備えている。
【０００８】
そして、シリンダー９、１０と当該シリンダー９、１０から出没するロッド１１、１２とからなり、前記回転軸４を挟んで互いに対向するように前記基台２０の径方向外側端側にそれぞれ取り付けられている一対の直線駆動機構１３、１４を備えている。直線駆動機構１３、１４は、移動動作を行なう部材、ここではロッド１１、１２が、直線的な運動（ここでは直線的な前進運動、後退運動）を行なうものである。
【０００９】
この一対の直線駆動機構１３、１４は、それぞれ、ロッド１１、１２がシリンダー９、１０内に没入しているときに、反転板２、３が水平状態に位置している状態の前記カムプレート５、６の径方向外側端側の下側外周面にロッド１１、１２の先端側が当接し、ロッド１１、１２の先端側を前記カムプレート５、６の曲面状に形成されている下側外周面に当接させつつシリンダー９、１０からロッド１１、１２を出没させることにより、前記カムプレート５、６に取り付けられている反転板２、３を水平状態と、当該水平状態から９０度以上、１８０度未満の間で回転させるように、前記カムプレート５、６を前記回転軸４を中心として回転させるものである。
【００１０】
更に、本発明の重量物反転装置は、先端側が反転板２、３の径方向外側端側にそれぞれ取り付けられていると共に、基端側が前記基台の径方向外側端側にそれぞれ取り付けられている反転板復帰用駆動機構を備えている。
【００１１】
かかる構造の重量物反転装置であって、本発明の重量物反転装置における前記の一対の直線駆動機構１３、１４は、そのロッド１１、１２がシリンダー９、１０から出没運動する方向が、斜め下方向から前記回転軸４の方向に向かうようになっている。
【００１２】
本発明の重量物反転装置によれば、カムプレート５、６に取り付けられている反転板２、３を水平状態と、当該水平状態から９０度以上、１８０度未満の間で回転させるべく、カムプレート５、６を、基台２０の中央部に支持されている回転軸４を中心として回転させるように、ロッド１１、１２の先端側をカムプレート５、６の曲面状に形成されている下側外周面に当接させつつシリンダー９、１０からロッド１１、１２を出没させる一対の直線駆動機構１３、１４は、前記回転軸４を挟んで互いに対向するように前記基台２０の径方向外側端側にそれぞれ取り付けられていると共に、そのロッド１１、１２がシリンダー９、１０から出没運動する方向が、斜め下方向から前記回転軸４の方向に向かうようになっている。
【００１３】
本発明のように、基台の中央部に支持されている回転軸を回転中心として、水平状態と、当該水平状態から１８０度未満の回転角度の間でそれぞれ回転する２枚の反転板を用いている重量物反転装置の場合、各反転板に取り付けられていて、基端側が回転軸に回転自在に取付けられていると共に、基端側から径方向外側端に向かう下側外周面が曲面状に形成されているカムプレートの当該曲面状の下側外周面に先端側を当接させつつロッドがシリンダーから出没することにより、反転板に取り付けられているカムプレートを回転軸を中心として水平状態と、当該水平状態から９０度以上、１８０度未満の間で回転させる直線駆動機構を、前記回転軸と同一の水平面に配置し、ロッドがシリンダーから出没運動する方向が、水平方向から回転軸の方向に向かうようにすることが従来は行なわれていた。
【００１４】
しかし、このような重量物反転装置の場合、基端側から径方向外側端に向かう下側外周面が曲面状に形成されているカムプレートを大型にし、当該曲面の曲率半径を大きくすることが必要であった。
【００１５】
そして、これに応じて、ロッドがシリンダーから出没するストロークを大きくすることも必要になっていた。
【００１６】
このため、直線駆動機構を、回転軸と同一の水平面に配置し、ロッドがシリンダーから出没運動する方向が、水平方向から回転軸の方向に向かうようにする従来の重量物反転装置では構造が大型化し、反転動作にも所要の長い時間を要せざるを得なかった。
【００１７】
しかし、本願発明の重量物反転装置では、直線駆動機構のロッドがシリンダーから出没運動する方向が、斜め下方向から回転軸の方向に向かうようになっているので、基端側から径方向外側端に向かう下側外周面が曲面状に形成されているカムプレートを小型にし、当該曲面の曲率半径を従来よりも小さくすることが可能になった。そして、これに応じて、ロッドがシリンダーから出没するストロークを小さくすることも可能になった。
【００１８】
これにより、重量物反転装置を小型化し、反転板２、３に支持されているワークをスムーズに、短時間で１８０度反転移動させることができる。
【００１９】
前述した本発明の重量物反転装置において、反転板２、３が前記回転軸４を通る鉛直線を挟む所定の角度範囲回動する間、前記ロッド１１、１２の先端側が当接する前記カムプレート５、６の曲面状に形成されている下側外周面は、インボリュートカーブに形成されていることが望ましい。
【００２０】
本発明の重量物反転装置においては、水平状態に置かれている一方の反転板（供給側の反転板）の上に１８０度反転移動させるワークを置き、当該供給側の反転板を、回転軸（４）を通る鉛直線から供給側の反転板が配備されている側に向かって所定の角度範囲の位置に至るまで回転軸の周囲に回転させる。
【００２１】
一方、このとき、他方の反転板（受取り側の反転板）を、前記供給側の反転板とは反対方向に回転させ、回転軸４を通る鉛直線から所定の角度範囲の位置になるまで回転してきている供給側の反転板との間でワークを挟む。
【００２２】
この後、供給側の反転板と、受取り側の反転板とでワークを挟持している状態で、受取り側の反転板が、回転軸４を通る鉛直線から受取り側の反転板が配備されている側に向かって所定の角度範囲の位置になるまで、回転軸の周囲に回転させる。
【００２３】
そして、受取り側の反転板の上に、ワークが支持されている状態で、受取り側の反転板を水平状態になるまで、回転軸の周囲に回転させる。
【００２４】
このようにして、ワークの１８０度反転移動を行なう。
【００２５】
ここで、供給側の反転板と、受取り側の反転板との間にワークを挟持している状態で回転軸の周囲に回転する、回転軸４を通る鉛直線から供給側の反転板が配備されている側に向かって所定の角度範囲から、回転軸４を通る鉛直線から受取り側の反転板が配備されている側に向かって所定の角度範囲の間は、重量の大きいワークを安定的に挟持して回転させるために、供給側の反転板と、受取り側の反転板とを同期して回転させることが望ましい。
【００２６】
本発明の重量物反転装置においては、反転板２、３が前記回転軸４を通る鉛直線を挟む所定の角度範囲回動する間、前記ロッド１１、１２の先端側が当接する前記カムプレート５、６の曲面状に形成されている下側外周面は、インボリュートカーブに形成されている。この反転板２、３が前記回転軸４を通る鉛直線を挟む所定の角度範囲回動する範囲を、前述した、回転軸４を通る鉛直線から供給側の反転板が配備されている側に向かって所定の角度範囲から、回転軸４を通る鉛直線から受取り側の反転板が配備されている側に向かって所定の角度範囲の間に対応するようにしておくことによって、この回転運動の間、供給側の反転板と、受取り側の反転板とをスムーズに同期して回転させることができる。これにより、供給側の反転板と、受取り側の反転板との間にワークを挟持している状態で回転軸の周囲に回転する間、重量の大きいワークを安定的に挟持して回転させることができる。
【００２７】
前記の一対の直線駆動機構１３、１４としては、油圧シリンダー、等の流体圧シリンダーや、電動シリンダー、等の電動直線駆動機構を使用することができる。なお、統一した制御の面から、自動制御機能を備えた油圧機構を採用することができる。
【発明の効果】
【００２８】
この発明によれば、基台の中央部に支持されている回転軸を回転中心として、水平状態と、当該水平状態から１８０度未満の回転角度の間でそれぞれ回転する２枚の反転板と、各反転板に取り付けられていて、基端側がそれぞれ前記回転軸に回転自在に取付けられていると共に、基端側から径方向外側端に向かう下側外周面が曲面状に形成されているカムプレートを備え、直線駆動機構のロッドの先端側を前記カムプレートの曲面状の下側外周面に当接させつつ、当該ロッドをシリンダーから出没させて前記カムプレートを回転軸を中心として回転させる重量物反転装置を小型化し、１８０度の反転移動をスムーズに、短時間で、効率よく行なうことができる。
【発明を実施するための最良の形態】
【００２９】
以下、添付図面を参照して本発明の好ましい実施形態を説明する。
【００３０】
本発明の重量物反転装置１は、基台２０の中央部に支持されている回転軸４を回転中心として、水平状態と、当該水平状態から１８０度未満の回転角度の間でそれぞれ回転する反転板２、３を備えている。
【００３１】
反転板２、３にはそれぞれカムプレート５、６が取り付けられている。
【００３２】
カムプレート５、６は、図１図示のように、基端側がそれぞれ回転軸４に回転自在に取付けられていると共に、基端側から径方向外側端に向かう下側外周面が曲面状に形成されている。
【００３３】
この重量物反転装置１には、回転軸４を挟んで互いに対向するように基台２０の径方向外側端側（図１図示の例では、基台２０の左右両側）に一対の直線駆動機構１３、１４が配備されている。
【００３４】
図示の実施形態では、直線駆動機構１３、１４は、いずれも、シリンダー９、１０とシリンダー９、１０から出没するロッド１１、１２を備えている。
【００３５】
ロッド１１、１２の先端には、ローラー、カムフォロワ等の回転手段が配備されており、ロッド１１、１２の先端は、図１図示のように、ロッド１１、１２がシリンダー９、１０内に没入しているときに、反転板２、３が水平状態に位置している状態のカムプレート５、６の径方向外側端側の下側外周面に当接できるようになっている。
【００３６】
直線駆動機構１３、１４によって、カムプレート５、６が回転軸４を中心として矢印３０、３１方向、矢印３２、３３方向に回転できるようになっている。
【００３７】
すなわち、直線駆動機構１３、１４のロッド１１、１２の先端側がカムプレート５、６の曲面状に形成されている下側外周面に当接しつつ、シリンダー９、１０からロッド１１、１２が出没することにより、カムプレート５、６に取り付けられている反転板２、３が、図１図示の水平状態と、当該水平状態から９０度以上、１８０度未満の間で回転できるように、カムプレート５、６は、直線駆動機構１３、１４によって、回転軸４を中心として矢印３０、３１方向、矢印３２、３３方向に回転するようになっている。
【００３８】
本発明の重量物反転装置１では、直線駆動機構１３、１４のロッド１１、１２がシリンダー９、１０から出没運動する方向は、図１図示のように、斜め下方向から回転軸４の方向に向かうものになっている。
【００３９】
また、カムプレート５、６の曲面状に形成されている下側外周面の中で、図１において符号５ａ、６ａで示されている範囲は、インボリュートカーブに形成されている。
【００４０】
この図１において符号５ａ、６ａで示されている範囲は、後述する反転動作における、図３（ｄ）から、図４（ｂ）までの工程の間に、ロッド１１、１２の先端が当接するカムプレート５、６の下側外周面にあたるものである。
【００４１】
また、本発明の重量物反転装置１には、反転板復帰用駆動機構が配備されている。
【００４２】
この反転板復帰用駆動機構は、先端側が反転板２、３の径方向外側端側に取り付けられているリンク辺１５、チェーン１６と、チェーン１６の基端側に配備されていてチェーン１６を巻き取る巻取機構８とから構成されている。
【００４３】
なお、図示の実施形態では、図２図示のように、リンク辺１５の基端側は、回転軸４の廻りに回転自在に取り付けられている中間回転部材７の径方向外側端側に回転可能に取り付けられ、チェーン１６の先端側も、中間回転部材７の径方向外側端側に取り付けられている。
【００４４】
後述する図４（ｃ）図示の反転動作完了の状態から、巻取機構８を作動させてチェーン１６の巻取りを開始することにより、反転板３を図２中、矢印３４方向に回転させ、図２の一点破線図示の状態、そして、図１図示の状態へと復帰させることができる。
【００４５】
なお、詳述していないが、反転板２にも同様の反転板復帰用駆動機構を設けることができる。
【００４６】
以下、図３、図４を用いて、本発明の重量物反転装置１によるワークの１８０度反転移動動作について説明する。
【００４７】
ワーク４０を水平状態にある供給側の反転板３の上に置く（図３（ａ））。
【００４８】
ロッド１２の先端側がカムプレート６の径方向外側端側の下側外周面に当接している状態で、直線駆動機構１４のロッド１２をシリンダー１０から突出させる。
【００４９】
これによって、供給側の反転板３は上側にワーク４０を支持している状態で、図３（ｂ）、（ｃ）のように、矢印３２方向に回動する。
【００５０】
この際、受取り側の反転板２も、ロッド１１の先端側がカムプレート５の径方向外側端側の下側外周面に当接している状態で、直線駆動機構１３のロッド１１がシリンダー９から突出することにより、図３（ｂ）、（ｃ）のように、矢印３０方向に回動する。
【００５１】
供給側の反転板３はその上に支持しているワーク４０が斜め下側方向に向かって落下することを未然に防止するため、図３（ｃ）の回転角度状態で回転動作を中止し、一方、受取り側の反転板２は、引き続き、矢印３０方向に回動する（図３（ｄ））。
【００５２】
次いで、受取り側の反転板２の上側面に配備されている厚み調整機構が反転板２の上側面から矢印３５方向に突出し、ワーク４０を受取り側の反転板２と、供給側の反転板３との間で安定して挟持するように調整を行なう（図３（ｅ））。
【００５３】
次に、直線駆動機構１４のロッド１２をシリンダー１０から突出させる動作と、直線駆動機構１３のロッド１１をシリンダー９内に没入させる動作とを同期させて開始し、ワーク４０を、受取り側の反転板２と、供給側の反転板３との間で挟持している状態で、受取り側の反転板２と、供給側の反転板３とを同期して、矢印３１、３２方向に回転させる。図３（ｆ）、図４（ａ）は、この回転動作によって、反転板２、反転板３が鉛直方向になった状態を示すものである。
【００５４】
引き続き、図４（ｂ）の状態になるまで、ワーク４０を、受取り側の反転板２と、供給側の反転板３との間で挟持している状態で、受取り側の反転板２と、供給側の反転板３とを同期して、矢印３１、３２方向に回転させる。
【００５５】
受取り側の反転板２の傾斜角度が図４（ｂ）図示の状態にまでなると、ワーク４０が斜め下側方向に向かって落下するおそれがなくなるので、以降、供給側の反転板３を矢印３２方向に強制的に回転させる動作を行なわなくても、引き続き、直線駆動機構１３のロッド１１をシリンダー９内に没入させる動作を進行させることにより、受取り側の反転板２は上側にワーク４０を支持したまま矢印３１方向に回転し、これにつれて、供給側の反転板３も回転し、図４（ｃ）図示のように、反転動作が完了した状態になる。
【００５６】
ここで、供給側の反転板３は、巻取機８でチェーン１６を巻き取ることにより、図４（ｄ）図示のように起ちあがる。また、カムプレート６の径方向外側端側の下側外周面にロッド１２の先端側が当接するようになったならば、巻取機８によるチェーン１６を巻き取ることによって反転板３が矢印３３方向に回動する速度にあわせて、直線駆動機構１４のロッド１２をシリンダー１０内に没入させる（図４ｅ）。
【００５７】
こうして、供給側の反転板３が図３（ａ）図示の状態に復帰したならば、受取り側の反転板２の上側面に配備されている厚み調整機構を矢印３６方向に移動させて反転板２の上側面内に戻し、ワーク４０が受取り側の反転板２の上に置かれた状態にする（図４（ｆ））。
【００５８】
図示の実施形態では、カムプレート５、６の曲面状に形成されている下側外周面の中で、図３（ｄ）から、図４（ｂ）までの工程の間にロッド１１、１２の先端が当接するカムプレート５、６の下側外周面（図１において符号５ａ、６ａで示されている範囲）は、インボリュートカーブに形成されている。すなわち、反転板２、３が回転軸４を通る鉛直線を挟む所定の角度範囲（図示の実施形態では、回転軸４を通る鉛直線を挟む６０度の角度範囲）回動する間、ロッド１１、１２の先端側が当接するカムプレート５、６の曲面状に形成されている下側外周面は、インボリュートカーブに形成されている。
【００５９】
反転板２、３が回転軸４を通る鉛直線を挟む所定の角度範囲回動する範囲を、回転軸４を通る鉛直線から供給側の反転板３が配備されている側（図中、右側）に向かって所定の角度範囲（図示の実施形態では３０度の角度範囲）から、回転軸４を通る鉛直線から受取り側の反転板２が配備されている側（図中、左側）に向かって所定の角度範囲（図示の実施形態では３０度の角度範囲）の間に対応するようにしておくことによって、図３（ｄ）から、図４（ｂ）までの回転運動の間、ロッド１１、１２の先端が当接するカムプレート５、６の下側外周面は図１において符号５ａ、６ａで示されているインボリュートカーブに形成されている面になっている。
【００６０】
これによって、供給側の反転板３と、受取り側の反転板２との同期した回転をスムーズに行なうことができる。
【００６１】
これにより、供給側の反転板３と、受取り側の反転板２との間にワーク４０を挟持している状態で回転軸４の周囲に回転する間、重量の大きいワークを安定的に挟持して回転させることができる。
【００６２】
以上、添付図面を参照して本発明の好ましい実施形態を説明したが、本発明はかかる実施形態に限定されるものではなく、特許請求の範囲の記載から把握される技術的範囲において種々の形態に変更可能である。
【図面の簡単な説明】
【００６３】
【図１】この発明の重量物反転装置の一部を省略した正面図。
【図２】この発明の重量物反転装置における反転板復帰用駆動機構の動作を説明する正面図。
【図３】この発明の重量物反転装置によるワークの１８０度反転動作における起動から反転開始までの動作を説明する正面図であって、（ａ）は供給側の反転板（図中、右側の反転板）の上にワークが置かれた状態、（ｂ）、（ｃ）は両側の反転板がそれぞれ回動している状態、（ｄ）は供給側の反転板（図中、右側の反転板）が停止し、受取り側の反転板（図中、左側の反転板）のみが回動継続している状態、（ｅ）はワークを供給側の反転板と、受取り側の反転板との間に挟持する厚さ調整が行なわれている状態、（ｆ）は反転動作が開始された状態を説明する図。
【図４】この発明の重量物反転装置によるワークの１８０度反転動作における反転開始から反転完了までの動作を説明する正面図であって、（ａ）は反転動作が開始された状態で、図３（ｆ）の状態に対応する図、（ｂ）は反転動作進行中の状態、（ｃ）は反転動作完了時の状態、（ｄ）、（ｅ）は供給側の反転板（図中、右側の反転板）の復帰動作が進行している状態、（ｆ）は供給側の反転板（図中、右側の反転板）が復帰すると共に、受取側の反転板（図中、左側の反転板）における厚さ調整動作が解除され、反転作業が完了した状態を説明する図。
【符号の説明】
【００６４】
１  重量物反転装置
２、３  反転板
４  回転軸
５、６  カムプレート
８  巻取機構
９、１０  シリンダー
１１、１２  ロッド
１３、１４  直線駆動機構
２０  基台
４０  ワーク
【図１】
2008024399.tif 000003
【図２】
2008024399.tif 000004
【図３】
2008024399.tif 000005
【図４】
2008024399.tif 000006